(57)【特許請求の範囲】
【請求項１】
コンピュータを、
第１の文章データから、同格であって対となる語句と、当該対となる語句の一方を修飾する語句とを抽出する抽出手段と、
前記対となる語句と、前記対となる語句の一方を修飾する語句との対応付け示す規則情報を作成する規則情報作成手段と、
前記規則情報作成手段により作成された規則情報を記憶部に記憶する記憶手段と、
第１の文と第２の文とを含む第２の文章データにおいて、前記第１の文に含まれる第１の語句及び第２の語句が前記規則情報に示される対応付けに含まれる前記対となる語句の一方及び前記対となる語句の一方を修飾する語句に該当する場合において、前記第１の語句及び前記第２の語句以外の前記第１の文に含まれる語句、当該規則情報の前記対となる語句の他方、及び前記第２の語句が前記第２の文に含まれるとき、前記第１の文と前記第２の文とが関係すると判定する判定手段として機能させるための文章解析プログラム。
【請求項２】
前記規則情報作成手段は、対となる語句の一方の語句が一般名詞であり、他方の語句が動作又は状態を表現するものであって、さらに当該動作又は表現の対象となる語句を含む場合に、前記規則情報を作成する請求項１に記載の文章解析プログラム。
【請求項３】
前記抽出手段が、前記第１の文章データから前記対となる語句の一方を修飾する語句を抽出できない場合、前記第１の文章データの主題となる自立語を抽出し、
前記規則情報作成手段は、前記対となる語句の一方を修飾する語句に代えて、前記第１の文章データの主題となる自立語を用いて前記規則情報を作成する請求項１に記載の文章解析プログラム。
【請求項４】
第１の文章データから、同格であって対となる語句と、当該対となる語句の一方を修飾する語句とを抽出する抽出手段と、
前記対となる語句と、前記対となる語句の一方を修飾する語句との対応付けを示す規則情報を作成する規則情報作成手段と、
前記規則情報作成手段により作成された規則情報を記憶手段に出力する手段と、
第１の文と第２の文とを含む第２の文章データにおいて、前記第１の文に含まれる第１の語句及び第２の語句が前記規則情報に示される対応付けに含まれる前記対となる語句の一方及び前記対となる語句の一方を修飾する語句に該当する場合において、前記第１の語句及び前記第２の語句以外の前記第１の文に含まれる語句、当該規則情報の前記対となる語句の他方、及び前記第２の語句が前記第２の文に含まれるとき、前記第１の文と前記第２の文とが関係すると判定する判定手段とを備える文章解析装置。
【発明の詳細な説明】
【技術分野】
【０００１】
本発明は、文章解析プログラム及び文章解析装置に関する。
【背景技術】
【０００２】
文に含まれる語句を換言する技術が提案されている。
【０００３】
これに関連する技術として、特許文献１には、文を構文解析して文に含まれる語句を語句同士の修飾関係によって結び付けて得られるツリー構造において、同じ意味で換言できるサブツリー（ツリー構造の一部分）の対を予め記憶する第１の記憶手段と、入力文を構文解析してツリー構造を得る構文解析手段と、構文解析手段によって得られた入力文のツリー構造のサブツリーと対応するサブツリーを第１の記憶手段に記憶されたサブツリーから選択し、選択したサブツリーと結び付けられた他のサブツリーを用いて入力文のサブツリーを換言する選択手段とを有する文章解析装置が開示されている。
【先行技術文献】
【特許文献】
【０００４】
【特許文献１】特開２００５−７１２９１号公報
【発明の概要】
【発明が解決しようとする課題】
【０００５】
本発明の目的は、一方の文の語句と他方の文の語句とを換言できない場合において、文と文とが互いに関連するか否かを判定する文章解析プログラム及び文章解析装置を提供することにある。
【課題を解決するための手段】
【０００６】
［１］コンピュータを、第１の文章データから、同格であって対となる語句と、当該対となる語句の一方を修飾する語句とを抽出する抽出手段と、前記対となる語句と、前記対となる語句の一方を修飾する語句との対応付け示す規則情報を作成する規則情報作成手段と、前記規則情報作成手段により作成された規則情報を記憶手段に出力する手段と、第１の文と第２の文とを含む第２の文章データにおいて、前記第１の文に含まれる第１の語句及び第２の語句が前記規則情報に示される対応付けに含まれる前記対となる語句の一方及び前記対となる語句の一方を修飾する語句に該当する場合において、前記第１の語句及び前記第２の語句以外の前記第１の文に含まれる語句、当該規則情報の前記対となる語句の他方、及び前記第２の語句が前記第２の文に含まれるとき、前記第１の文と前記第２の文とが関係すると判定する判定手段として機能させるための文章解析プログラム。
【０００７】
［２］前記規則情報作成手段は、対となる語句の一方の語句が一般名詞であり、他方の語句が動作又は状態を表現するものであって、さらに当該動作又は表現の対象となる語句を含む場合に、前記規則情報を作成する前記［１］に記載の文章解析プログラム。
【０００８】
［３］前記抽出手段が、前記第１の文章データから前記対となる語句の一方を修飾する語句を抽出できない場合、前記第１の文章データの主題となる自立語を抽出し、前記規則情報作成手段は、前記対となる語句の一方を修飾する語句に代えて、前記第１の文章データの主題となる自立語を用いて前記規則情報を作成する前記［１］に記載の文章解析プログラム。
【０００９】
［４］第１の文章データから、同格であって対となる語句と、当該対となる語句の一方を修飾する語句とを抽出する抽出手段と、前記対となる語句と、前記対となる語句の一方を修飾する語句との対応付けを示す規則情報を作成する規則情報作成手段と、前記規則情報作成手段により作成された規則情報を記憶手段に出力する手段と、第１の文と第２の文とを含む第２の文章データにおいて、前記第１の文に含まれる第１の語句及び第２の語句が前記規則情報に示される対応付けに含まれる前記対となる語句の一方及び前記対となる語句の一方を修飾する語句に該当する場合において、前記第１の語句及び前記第２の語句以外の前記第１の文に含まれる語句、当該規則情報の前記対となる語句の他方、及び前記第２の語句が前記第２の文に含まれるとき、前記第１の文と前記第２の文とが関係すると判定する判定手段とを備える文章解析装置。
【発明の効果】
【００１０】
請求項１又は４に係る発明によれば、一方の文の語句と他方の文の語句とを換言できない場合において、文と文とが互いに関連するか否かを判定することができる。
【００１１】
請求項２に係る発明によれば、対となる語句の一方の語句が一般名詞であり、他方の語句が動作又は状態を表現するものであって、さらに当該動作又は表現の対象となる語句を含む場合に、請求項１に係る発明を適用することができる。
【００１２】
請求項３に係る発明によれば、対となる語句を修飾する語句がない場合に、請求項１に係る発明を適用することができる。
【図面の簡単な説明】
【００１３】
【図１】本発明の実施の形態における文章解析システムの構成例を示す概略図である。
【図２】文章解析装置の構成例を示す概略図である。
【図３】図３（ａ）及び（ｂ）は、取得した文章情報の一例を示す概略図である。
【図４】図４（ａ）及び（ｂ）は、文章構文解析結果の一例を示す概略図である。
【図５】図５は、文脈規則情報の一例を示す概略図である。
【図６】図６（ａ）及び（ｂ）は、受け付けた文章情報の一例を示す概略図である。
【図７】図７（ａ）及び（ｂ）は、文章構文解析結果の一例を示す概略図である。
【図８】図８（ａ）及び（ｂ）は、受け付けた文章情報の一例を示す概略図である。
【図９】図９（ａ）及び（ｂ）は、文章構文解析結果の一例を示す概略図である。
【図１０】図１０は、文章解析システムの動作例を示すフローチャートである。
【図１１】図１０は、文章解析システムの動作例を示すフローチャートである。
【発明を実施するための形態】
【００１４】
（文章解析システムの構成）
図１は、本発明の文章解析システムの構成例を示す概略図である。
【００１５】
この文章解析システム５は、文章解析サーバ装置１と、文章データベースサーバ２と、端末装置３とをネットワーク４によって互いに通信可能に接続することで構成される。
【００１６】
文章解析サーバ装置１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、端末装置３の要求に応じて文章データベースサーバ２から取得した文及び端末装置３から入力された文の解析処理等を実行する。解析処理とは、構文解析や文と文との含意を解析する処理である。ここで、「含意」とは、ある文が持つ意味や概念等から他の文の持つ意味や概念等が成り立つと推定できることをいう。また、意味や概念は、語句に直接表われるものに限らず暗示するようなものも含む。
【００１７】
文章データベースサーバ２は、単一又は複数の文から構成される文章のテキスト情報である文章情報２Ａを格納するデータベースである。文章情報２Ａは、例えば、テキストフォーマットのテキスト情報であるが、その他にワープロ、表計算ソフト等のソフトで作成されたファイルや、ＨＴＭＬ文書等に含まれるテキスト情報であってもよい。なお、画像ファイルや音楽ファイルのメタデータ等から抽出されたテキスト情報でもよい。
【００１８】
端末装置３は、操作入力用のキーボード、マウス、タッチパッド等の操作部と、液晶ディスプレイ等の表示部と、ＣＰＵや記憶部等の電子部品を有する制御部とを備える。端末装置３は、文章解析サーバ装置１に利用者の操作に応じた要求を送信し、その要求に対する応答を受信して、受信した内容を制御部で処理した結果を表示部に表示する。なお、端末装置３は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末装置３は、同図では１台を図示するが、複数台でもよい。
【００１９】
ネットワーク４は、ＬＡＮ（Ｌｏｃａｌ  Ａｒｅａ  Ｎｅｔｗｏｒｋ）、インターネット等の通信網であり、有線、無線は問わない。
【００２０】
図２は、文章解析サーバ装置１の構成例を示すブロック図である。
【００２１】
文章解析サーバ装置１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、ネットワーク４を介して外部と通信する通信部１２とを備える。
【００２２】
制御部１０は、後述する文章解析プログラム１１０を実行することで、文章取得手段１００、文章解析手段１０１、文脈規則情報作成手段１０２、入力文章受付手段１０３、入力文章解析手段１０４及び文章関係判定手段１０５等として機能する。
【００２３】
文章取得手段１００は、文章データベースサーバ２から文章情報２Ａを取得する。
【００２４】
文章解析手段１０１は、文章取得手段１００が取得した文章情報２Ａに含まれる文をそれぞれ構文解析し、文に含まれる文要素及び文要素間の修飾関係を抽出する。ここで、「文要素」とは主に単独で意味を持つ自立語のことをいう。
【００２５】
また、文章解析手段１０１は、文章情報２Ａに談話解析を行い、文章の文脈を推定する。談話解析は、例えば、センタリング理論によって実行される（Megumi Kameyama. A property-sharing constraint in centering. In Proceedings of ACL, pp. 200-206, 1986）。ここで、「文脈」とは文に明示的に記述されていない主題などを指し、文の置かれている状況に応じて異なる。談話解析では主に対象とする文の前までに出現する文との関係に基づいて推定される。
【００２６】
文脈規則情報作成手段１０２は、文章情報２Ａで示される事例を具体的な現象の表現に置き換えて文脈規則情報１１１を作成する。具体的には、事例を表す一般名詞、事例を表す一般名詞を修飾する箇所、事例に対応する具体的な現象を動作や状態を表す語句の組み合わせで表現している箇所を抽出して、これらを対応付けて文脈規則情報１１１を作成する。また、文脈規則情報作成手段１０２は、作成した文脈規則情報１１１を記憶部１１に記憶する。
【００２７】
入力文章受付手段１０３は、端末装置３において入力された文章情報を受け付けるとともに、入力文章情報１１２として記憶部１１に格納する。
【００２８】
入力文章解析手段１０４は、入力文章情報１１２に含まれる文をそれぞれ構文解析し、文に含まれる文要素及び文要素間の修飾関係を抽出する。
【００２９】
文章関係判定手段１０５は、文脈規則情報１１１に基づいて、入力文章解析手段１０４によって構文解析された入力文章情報１１２に含まれる文が含意関係にあるか否か判定する。
【００３０】
記憶部１１は、制御部１０を上述した各手段として動作させる文章解析プログラム１１０と、文脈規則情報作成手段１０２が作成した文脈規則情報１１１と、入力文章受付手段１０３が受け付けた入力文章情報１１２とを記憶する。
【００３１】
（文章解析システムの動作）
以下に、文章解析システム５の動作を図１〜図１１を参照しつつ、（１）文脈規則情報の作成動作、（２）入力文章情報の文章関係判定動作に分けて説明する。
【００３２】
（１）文脈規則情報の作成動作
図１０は、文章解析システム５の動作例を示すフローチャートである。
【００３３】
まず、文章取得手段１００は、文章データベースサーバ２から文章情報２Ａを取得する（Ｓ１）。
【００３４】
図３（ａ）及び（ｂ）は、取得した文章情報２Ａの一例を示す概略図である。
【００３５】
文章情報２Ａは、単一又は複数の文を含むが、ここでは、文２０と文２１とを含むものについて説明する。文２０は、図３（ａ）に示すように、「ご予約された方の特典として、オリジナルＣＤが付属します。」という内容のテキスト情報である。文２１は、図３（ｂ）に示すように、「使い方は、パソコンに入れてアプリケーションを立ち上げます。」という内容のテキスト情報である。
【００３６】
次に、文章解析手段１０１は、文章取得手段１００が取得した文２０及び文２１をそれぞれ構文解析する（Ｓ２）。構文解析は、文２０及び文２１から自立語である文要素が抽出されるとともに、抽出された文要素の間の修飾関係が抽出されて文章構文解析結果が出力される。
【００３７】
図４（ａ）及び（ｂ）は、文章構文解析結果の一例を示す概略図である。
【００３８】
文章構文解析結果２０Ａは、図４（ａ）に示すように、図３（ａ）に示す文２０を構文解析して得られた結果であり、抽出された自立語及びその品詞を示す文要素２００〜２０５並びに修飾の内容及び修飾先を矢印で示す文要素間関係２００ｍ〜２０５ｍから構成される。
【００３９】
文章構文解析結果２１Ａは、図４（ｂ）に示すように、図３（ｂ）に示す文２１を構文解析して得られた結果であり、文要素２１０〜２１４及び文要素間関係２１０ｍ〜２１４ｍから構成される。
【００４０】
次に、文章解析手段１０１は、文２０及び２１の文脈を推定するために談話解析を行う（Ｓ３）。談話解析は、解析対象となる文の前に出現する文を比較しつつ行う。文２０の場合、前に出現する文がないため、文２０のみについて文脈を推定する。
【００４１】
まず、文章解析手段１０１は、文章構文解析結果２０Ａから「ガ格」の文要素間関係２０４ｍを有する「オリジナルＣＤ」の文要素２０４（２０３）、「連体修飾『の』」の文要素間関係２０１ｍを有する「方」の文要素２０１、「同格『として』」の文要素間関係２０２ｍを有する「特典」の文要素２０２を抽出する。
【００４２】
これらの文要素２０４、２０１、２０２において、主題となりやすい文要素間関係は、「ガ格」、「連体修飾『の』」、「同格『として』」の順である。従って、文章解析手段１０１は、文要素間関係２０４ｍを有する「オリジナルＣＤ」の文要素２０４（２０３）を主題と推定する。
【００４３】
また、文章解析手段１０１は、文２１を談話解析する場合、直前の文２０の主題「オリジナルＣＤ」を抽出し、文章構文解析結果２１Ａから「主体提示『は』」の文要素間関係２１０ｍを有する「使い方」の文要素２１０を抽出する。
【００４４】
これらの文要素２０４、２１０において、「ガ格」よりも「主体提示『は』」の方が主題になりやすい。従って、文章解析手段１０１は、文要素間関係２１０ｍを有する「使い方」の文要素２１０を主題と推定する。
【００４５】
次に、文脈規則情報作成手段１０２は、文２０及び２１の文脈規則情報１１１を作成する（Ｓ４）。
【００４６】
まず、文脈規則情報作成手段１０２は、文２０及び２１から同格の表現を抽出する。文脈規則情報作成手段１０２は、例えば、「同格『として』」の文要素間関係２０２ｍや「主体提示『は』」の文要素間関係２１０ｍ等の同格の表現を抽出し、その同格の表現の直前の自立語を規則要素Ｘ、直後の自立語を規則要素Ｙとして抽出する。なお、同格の表現としては、「ＸはＹとなっている」や「ＸはＹことだ」等のパターンを予め登録しておく。
【００４７】
文脈規則情報作成手段１０２は、文２０において、「同格『として』」の文要素間関係２０２ｍについては、「特典」をＸ、「オリジナルＣＤが付属します」をＹとして抽出する。また、文２１において、「主体提示『は』」の文要素間関係２１０ｍについては、「使い方」をＸ、「パソコンに入れてアプリケーションを立ち上げます」をＹとして抽出する。
【００４８】
次に、文脈規則情報作成手段１０２は、抽出したＸが事例を表す自立語であるか、また、抽出したＹが現象を示す語句であるか否かを判定する。具体的に、文脈規則情報作成手段１０２は、Ｘが一般名詞であるか否か、Ｙが動作又は状態を表現しており、Ｙの表現の中に対象が明示されているか否かを判定する。
【００４９】
文章構文解析結果２０Ａから、「特典」は一般名詞である。また、「オリジナルＣＤが付属します」は「付属する」という状態を表しており、「オリジナルＣＤ」がその状態の対象として明示されているため、判定結果は可となる。
【００５０】
文章構文解析結果２１Ａから、「使い方」は一般名詞である。また、「パソコンに入れてアプリケーションを立ち上げます」は、「入れる」と「立ち上げる」という動作を表しており、「パソコン」と「アプリケーション」がそれぞれ動作の対象として明示されているため、判定結果は可となる。
【００５１】
次に、文脈規則情報作成手段１０２は、規則要素Ｘを修飾する語句を規則要素Ｚとして抽出する。なお、修飾する語句がない場合は、文脈から推定される主題をＺとみなすことにする。
【００５２】
文脈規則情報作成手段１０２は、文２０の「特典」を修飾する語句「ご予約された方の」をＺとして抽出する。
【００５３】
また、文脈規則情報作成手段１０２は、文２１の「使い方」には修飾する語句がないことから、文章解析手段１０１によって抽出された文２１の主題「使い方」をＺとみなすべきであるが、Ｘと同一となるためＺとみなさずに、文２０の主題「オリジナルＣＤ」をＺとみなすことにする。
【００５４】
文脈規則情報作成手段１０２は、以上で抽出したＸ、Ｙ及びＺの組をそれぞれ対応付けて文脈規則情報１１１として作成し、記憶部１１に記憶する。
【００５５】
図５は、文脈規則情報１１１の一例を示す概略図である。
【００５６】
文脈規則情報１１１は、文脈規則の識別子欄１１１Ａと、文の事例を表す自立語である規則要素Ｘ欄１１１Ｂと、文の現象を示す語句である規則要素Ｙ欄１１１Ｃと、事例（規則要素Ｘ）を修飾する語句である規則要素Ｚ欄１１１Ｄとから構成される。
【００５７】
識別子欄１１１Ａが「Ｒ１」である文脈規則は、文章構文解析結果２０Ａから作成されたものであり、識別子欄１１１Ａが「Ｒ２」である文脈規則は、文章構文解析結果２１Ａから作成されたものである。
【００５８】
（２）入力文章情報の文章関係判定動作
図１１は、文章解析システム５の動作例を示すフローチャートである。
【００５９】
まず、入力文章受付手段１０３は、端末装置３から文章関係判定の対象となる入力文章情報１１２を受け付けて記憶部１１に格納する（Ｓ１１）。入力文章情報１１２は、端末装置３において利用者が入力したものでもよいし、予め用意されたテキスト情報等であってもよい。
【００６０】
図６（ａ）及び（ｂ）は、受け付けた入力文章情報１１２の一例を示す概略図である。
【００６１】
入力文章情報１１２は、文２２と文２３とを有する。文２２は、図６（ａ）に示すように、「予約すると、サントラＣＤが付属します。」という内容のテキスト情報である。文２３は、図６（ｂ）に示すように、「予約特典です。」という内容のテキスト情報である。
【００６２】
次に、入力文章解析手段１０４は、入力文章受付手段１０３が取得した入力文章情報１１２の文２２及び文２３をそれぞれ構文解析する（Ｓ１２）。構文解析は、文２２及び文２３から自立語である文要素が抽出されるとともに、抽出された文要素の間の修飾関係が抽出されて文章構文解析結果が出力される。なお、入力文章解析手段１０４は、談話解析を合わせて行うものであってもよい。
【００６３】
図７（ａ）及び（ｂ）は、文章構文解析結果の一例を示す概略図である。
【００６４】
文章構文解析結果２２Ａは、図７（ａ）に示すように、図６（ａ）に示す文２２を構文解析して得られた結果であり、文要素２２０〜２２３及び文要素間関係２２０ｍ〜２２２ｍから構成される。
【００６５】
文章構文解析結果２３Ａは、図７（ｂ）に示すように、図６（ｂ）に示す文２３を構文解析して得られた結果であり、文要素２３０及び２３１並びに文要素間関係２３０ｍから構成される。
【００６６】
次に、文章関係判定手段１０５は、文２２及び２３の一方が他方を含意する関係であるか否か判定する（Ｓ１３）。
【００６７】
まず、文章関係判定手段１０５は、文要素２２０〜２２３から文脈規則情報１１１の規則要素Ｙ欄１１１Ｃのいずれかに該当するＹ’を抽出する。文２２では、「付属する」の文要素２２３が識別子「Ｒ１」の規則要素Ｙ欄１１１Ｃの状態「付属する」と一致し、文要素２２３の対象である「サントラＣＤ」は、規則要素Ｙ欄１１１Ｃの対象「オリジナルＣＤ」と連体修飾部「オリジナル」が異なるのみであるため両者は対応しているとみなし、「サントラＣＤが付属する」をＹ’として抽出する。
【００６８】
次に、文章関係判定手段１０５は、Ｙ’を修飾する表現をＺ’として抽出し、文脈規則情報１１１の規則要素Ｚ欄１１１Ｄの内容と一致するか確認する。文２２のＹ’「サントラＣＤが付属する」を修飾する表現は、「予約すると」であり、これをＺ’として抽出する。次に、識別子「Ｒ１」の規則要素Ｚ欄１１１Ｄの内容である「ご予約の方の」とＺ’「予約すると」とを比較し、「予約する」の表現が一致するためＺとＺ’とは対応すると判定する。
【００６９】
次に、文章関係判定手段１０５は、Ｙ’及びＺ’と対応するＹ及びＺのＸでＹ’を置き換える。つまり、Ｙ’「サントラＣＤが付属する」及びＺ’「予約すると」と対応するＹ「付属する」、「オリジナルＣＤ」及びＺ「ご予約の方の」のＸ「特典」でＹ’を置き換える。これにより、文２２は、「予約する」が「特典」を修飾する内容となる。
【００７０】
次に、文章関係判定手段１０５は、文２３の文要素２３０及び２３１から置き換えを実行した文２２の文要素を取り除く。すると、文２３は、空になる（文要素がなくなる）。ここで、文章関係判定手段１０５は、文要素が空になったとき、「文２３は文２２を含意する」と判定する。
【００７１】
以下に示す、文２４及び文２５についても同様の動作を行う。
【００７２】
図８（ａ）及び（ｂ）は、受け付けた文章情報の一例を示す概略図である。
【００７３】
文章情報は、文２４と文２５とを有する。文２４は、図８（ａ）に示すように、「付録ＣＤは、パソコンに入れます。」という内容のテキスト情報である。文２５は、図８（ｂ）に示すように、「ＣＤの使い方です。」という内容のテキスト情報である。
【００７４】
図９（ａ）及び（ｂ）は、文章構文解析結果の一例を示す概略図である。
【００７５】
文章構文解析結果２４Ａは、図９（ａ）に示すように、図８（ａ）に示す文２４を構文解析して得られた結果であり、文要素２４０〜２４３及び文要素間関係２４０ｍ〜２４２ｍから構成される。
【００７６】
文章構文解析結果２５Ａは、図９（ｂ）に示すように、図８（ｂ）に示す文２５を構文解析して得られた結果であり、文要素２５０及び２５１並びに文要素間関係２５０ｍから構成される。
【００７７】
まず、文２４では、「入れる」の文要素２４３が識別子「Ｒ２」の規則要素Ｙ欄１１１Ｃの動作「入れる」と一致し、文要素２４３の対象である「パソコンに」は、規則要素Ｙ欄１１１Ｃの対象「パソコンに」と一致しているため、「パソコンに入れます」をＹ’として抽出する。
【００７８】
次に、文２４のＹ’「パソコンに入れます」を修飾する表現は、「付録ＣＤ」であり、これをＺ’として抽出する。次に、識別子「Ｒ２」の規則要素Ｚ欄１１１Ｄの内容である「オリジナルＣＤ」とＺ’「付録ＣＤ」とを比較し、「ＣＤ」の表現が一致するためＺとＺ’とは対応すると判定する。
【００７９】
次に、文章関係判定手段１０５は、Ｙ’「パソコンに入れます」及びＺ’「付録ＣＤ」と対応するＹ「入れる」、「パソコンに」及びＺ「オリジナルＣＤ」のＸ「使い方」でＹ’を置き換える。これにより、文２４は、「付録ＣＤ」が「使い方」を修飾する内容となる。
【００８０】
次に、文章関係判定手段１０５は、文２５の文要素２５０及び２５１から置き換えを実行した文２４の文要素を取り除く。すると、文２５は、空になる（文要素がなくなる）。ここで、文章関係判定手段１０５は、文要素が空になったとき、「文２５は文２４を含意する」と判定する。
【００８１】
［他の実施の形態］
なお、本発明は、上記実施の形態に限定されず、本発明の要旨を逸脱しない範囲で種々な変形が可能である。例えば、（１）文脈規則情報の作成動作は、（２）入力文章情報の文章関係判定動作の直前に実行してもよいし、予め実行しておいてもよい。
【００８２】
また、上記文章解析プログラム１１０をＣＤ−ＲＯＭ等の記憶媒体に格納して提供することも可能であり、インターネット等のネットワークに接続されているサーバ装置等から装置内の記憶部にダウンロードしてもよい。また、文章取得手段１００、文章解析手段１０１、文脈規則情報作成手段１０２、入力文章受付手段１０３、入力文章解析手段１０４及び文章関係判定手段１０５の一部又は全部をＡＳＩＣ等のハードウェアによって実現してもよい。なお、上記実施の形態の動作説明で示した各ステップは、順序の変更、ステップの省略、追加が可能である。
【符号の説明】
【００８３】
１…文章解析サーバ装置、２…文章データベースサーバ、２Ａ…文章情報、３…端末装置、４…ネットワーク、５…文章解析システム、１０…制御部、１１…記憶部、１２…通信部、２０−２５…文、２０Ａ−２５Ａ…文章構文解析結果、１００…文章取得手段、１０１…文章解析手段、１０２…文脈規則情報作成手段、１０３…入力文章受付手段、１０４…入力文章解析手段、１０５…文章関係判定手段、１１０…文章解析プログラム、１１１…文脈規則情報、１１１Ａ…識別子欄、１１１Ｂ…規則要素Ｘ欄、１１１Ｃ…規則要素Ｙ欄、１１１Ｄ…規則要素Ｚ欄、１１２…入力文章情報、２００−２０５、２１０−２１４、２２０−２２３、２３０、２３１、２４０−２４３、２５０、２５１…文要素、２００ｍ−２０４ｍ、２１０ｍ−２１３ｍ、２２０ｍ−２２２ｍ、２３０ｍ、２４０ｍ−２４２ｍ、２５０ｍ…文要素間関係
【図１】
0005471893.tif 000002
【図２】
0005471893.tif 000003
【図３】
0005471893.tif 000004
【図４】
0005471893.tif 000005
【図５】
0005471893.tif 000006
【図６】
0005471893.tif 000007
【図７】
0005471893.tif 000008
【図８】
0005471893.tif 000009
【図９】
0005471893.tif 000010
【図１０】
0005471893.tif 000011
【図１１】
0005471893.tif 000012